(57)【要約】【課題】より正確に毛髪の長さを測定可能な理美容用櫛を提供する。【解決手段】  理美容用の櫛１００は、背部１１０に櫛歯１４２，１５２が立設されている。この背部１１０には、櫛１００の幅方向に延びた線状の突起部１６２〜１６８が設けられている。また、背部１１０の外端側には、縁部１２０，１３０が設けられている。これらの縁部１２０，１３０の外端側には、櫛１００の幅方向に平行な直線部が形成されている。そして、背部１１０に設けられた突起部１６２〜１６８は、縁部１２０，１３０の外端側に設けられた直線部を基準とする所定の位置に設けられている。【選択図】図１
2012034728.tif 000002
【特許請求の範囲】
【請求項１】
理美容用の櫛であって、
櫛歯が立設された背部と、
前記背部に設けられ、前記櫛の幅方向に延びた線状の突起部と、
前記背部の外端側に設けられ、外端側に前記櫛の幅方向に平行な直線部が形成された縁部と
を備え、
前記突起部は、前記直線部を基準とする所定の位置に設けられている
理美容用の櫛。
【請求項２】
前記縁部の外端側には、外端側から櫛歯側に湾曲した第１の曲線部が形成され、
前記縁部の櫛歯側には、櫛歯側から外端側に湾曲した第２の曲線部が形成されている、
請求項１記載の理美容用の櫛。
【請求項３】
前記直線部の長さは、前記櫛の幅の２／３以上である、請求項１または２記載の理美容用の櫛。
【請求項４】
前記突起部は、軸が前記櫛の幅方向に沿った半円柱状である、請求項１ないし３のいずれか記載の理美容用の櫛。
【請求項５】
前記突起部の大きさは、前記背部からの盛り上がり量が０．２〜１ｍｍとなるように設定されている、請求項４記載の理美容用の櫛。
【発明の詳細な説明】
【技術分野】
【０００１】
この発明は、理美容に使用される理美容用櫛に関する。
【背景技術】
【０００２】
理美容業界においては、より良い仕上がりとするため、カットやセットの位置をより正確にすることが求められる。そこで、調髪の際に毛髪の長さを測定可能とするように、カット用櫛に尺度用標線を付形することが提案されている。例えば、特許文献１で提案されている従来の櫛では、尺度用標線の目盛を地肌より髪の毛に当接することにより、髪の毛の長さを所望の長さに合わせて切りそろえることが可能となっている。
【先行技術文献】
【特許文献】
【０００３】
【特許文献１】実開昭５７−５５４０５号全文明細書
【特許文献２】特開２００５−３０４７２０号公報
【発明の概要】
【発明が解決しようとする課題】
【０００４】
しかしながら、このような従来の櫛では、髪の毛の長さを所望の長さに合わせて切りそろえる場合、基準となる地肌の位置を正確に決めることが困難であるため、毛髪の長さを正確に測ることは困難であった。
【０００５】
本発明は、上述した従来の課題を解決するためになされたものであり、より正確に毛髪の長さを測定可能な理美容用櫛を提供することを目的とする。
【課題を解決するための手段】
【０００６】
上記目的の少なくとも一部を達成するために、本発明は、以下の形態又は適用例として実現することが可能である。
【０００７】
［適用例１］
理美容用の櫛であって、櫛歯が立設された背部と、前記背部に設けられ、前記櫛の幅方向に延びた線状の突起部と、前記背部の外端側に設けられ、外端側に前記櫛の幅方向に平行な直線部が形成された縁部とを備え、前記突起部は、前記直線部を基準とする所定の位置に設けられている理美容用の櫛。直線部を基準とする所定の位置に設けられた突起部を用いることにより、より正確に毛髪の長さを測ることが可能となる。
【０００８】
［適用例２］
前記縁部の外端側には、外端側から櫛歯側に湾曲した第１の曲線部が形成され、前記縁部の櫛歯側には、櫛歯側から外端側に湾曲した第２の曲線部が形成されている、適用例１記載の理美容用の櫛。第１と第２の曲線部を設けることにより、縁部には髪の毛を分けるための先端部が形成される。そして、第２の曲線部を設けることにより、先端部を櫛の外端側により近くすることができるので、作業者はより正確に分け目の位置を把握することが可能となる。
【０００９】
［適用例３］
前記直線部の長さは、前記櫛の幅の２／３以上である、適用例１または２記載の理美容用の櫛。この適用例によれば、櫛の長手方向を頭に垂直に当てることがより容易となるので、正確に毛髪の長さを測ることが容易となる。
【００１０】
［適用例４］
前記突起部は、軸が前記櫛の幅方向に沿った半円柱状である、適用例１ないし３のいずれか記載の理美容用の櫛。突起部を半円柱状にすることにより、毛髪の突起部への引っかかりを抑制することができる。
【００１１】
［適用例５］
前記突起部の大きさは、前記背部からの盛り上がり量が０．２〜１ｍｍとなるように設定されている、適用例４記載の理美容用の櫛。盛り上がり量を０．２ｍｍ以上とすることにより、触感で毛髪と突起部とを区別することができるので、作業の効率を向上させることができる。また、盛り上がり量を１ｍｍ以下とすることにより、毛髪の突起部への引っかかりをさらに抑制することができる。
【図面の簡単な説明】
【００１２】
【図１】櫛の構成を示す説明図。
【図２】縁部の形状を示す部分拡大図。
【発明を実施するための形態】
【００１３】
図１は、本発明の一実施例としての理美容用櫛（以下、単に「櫛」と呼ぶ）の構成を示す説明図である。図１（ａ）は、櫛１００の全体形状を示す正面図であり、図１（ｂ）は、櫛１００の全体形状を示す背面図である。図１（ａ）および図１（ｂ）に示すように、櫛１００は、全体として一方に長い略矩形状となっている。そのため、以下では、当該矩形の長手方向と幅方向とを用いて、方向を規定する。
【００１４】
図１（ａ）および図１（ｂ）に示すように、櫛１００は、長手方向に延びた板状の背部１１０と、背部１１０の外端側に設けられた縁部１２０，１３０と、背部１１０から幅方向に立設された多数の櫛歯１４２，１５２とを有している。櫛歯１４２が広い間隔で配設されるとともに、櫛歯１５２が狭い間隔で配設されることにより、櫛１００には、粗目櫛歯列１４０と細目櫛歯列１５０とが形成される。なお、櫛１００あるいは背部１１０の外端とは、長手方向の端のことを謂う。
【００１５】
図１（ａ）に示すように、背部１１０の正面側には、背部１１０の幅方向（すなわち、櫛１００の幅方向）に延びた線状の突起部１６２，１６４が設けられている。同様に、図１（ｂ）に示すように、背部１１０の背面側には、背部１１０の幅方向に延びた線状の突起部１６６，１６８が設けられている。突起部１６２〜１６８は、カットやセットを行う際に毛髪の長さを測るため、櫛１００の外端である縁部１２０，１３０の外側（すなわち、櫛歯列１４０，１５０と反対側）を基準として所定の距離に設けられている。なお、具体的な突起部１６２〜１６８の形状と配置については、後述する。
【００１６】
粗目櫛歯列１４０と細目櫛歯列１５０とは、それぞれ、縁部１２０，１３０の内側から一点鎖線で示す櫛１００の中央線Ｃ−Ｃに渉って設けられている。すなわち、粗目櫛歯列１４０と細目櫛歯列１５０との境界（以下、「櫛歯列境界」とも呼ぶ）は、櫛１００の中央線Ｃ−Ｃ上に位置している。本実施例では、櫛１００の長さを２００ｍｍとしている。そのため、櫛歯列境界は、櫛１００の外端から１００ｍｍの距離に位置している。これにより、粗目櫛歯列１４０と細目櫛歯列１５０とのどちらを使用している場合においても、櫛１００の外端を頭に当てることで、毛髪の長さが１００ｍｍとなる位置を目視や触感で確認することができる。但し、櫛歯列境界は、必ずしも中央線Ｃ−Ｃ上に位置しなくても良い。
【００１７】
図２は、櫛１００の縁部１２０，１３０の形状を示す部分拡大図である。図２（ａ）は、粗目櫛歯列１４０側の縁部１２０の形状を示し、図２（ｂ）は、細目櫛歯列１５０側の縁部１３０の形状を示している。
【００１８】
図２（ａ）に示すように、粗目櫛歯列１４０側の縁部１２０には、外側（すなわち、外端側）に直線部１２２と曲線部１２４とが設けられており、内側に直線部１２８と曲線部１２６とが設けられている。同様に、図２（ｂ）に示すように、細目櫛歯列１５０側の縁部１３０には、外側に直線部１３２と曲線部１３４とが設けられており、内側に直線部１３８と曲線部１３６とが設けられている。直線部１２２，１２８，１３２，１３８は、櫛１００の長手方法に垂直（すなわち、幅方向に平行）に形成されている。櫛１００の外端側の曲線部１２４，１３４は、櫛１００の外側から内側に向かって湾曲し、内側の曲線部１２６，１３６は、内側から外側に向かって湾曲するように形成されている。これにより、縁部１２０，１３０のそれぞれには、幅が狭い先端部１２１，１３１が形成される。
【００１９】
本実施例の櫛１００では、縁部１２０，１３０の外端側に直線部１２２，１３２を設けることにより、櫛１００を頭に垂直に当てることがより容易となる。ここで、櫛１００を頭に垂直に当てるとは、櫛１００の長手方向と頭の表面とのなす角度が幅方向について略直角となるように櫛１００の外端を頭に当てることを謂う。櫛１００を頭に垂直に当てることにより、櫛１００の外端からの突起部１６２〜１６８や櫛歯列境界の距離として測定される毛髪の長さと、実際の毛髪の長さとの誤差をより小さくすることができる。なお、櫛１００を頭に垂直に当てることをより容易とするためには、直線部１２２，１３２の長さを、縁部１２０，１３０の長さ（すなわち、櫛１００の幅）の２／３以上とするのが好ましく、縁部１２０，１３０の長さの３／４以上とするのがさらに好ましい。また、櫛１００を頭に垂直に当てている状態は、カットやセットの際に行っている状態に近いため、作業性を低下させることなく毛髪の長さを測ることが可能となる。
【００２０】
本実施例では、縁部１２０，１３０の内側に曲線部１２６，１３６を設けているが、内側の曲線部１２６，１３６を省略することも可能である。但し、髪を分ける際の作業性を向上させるため、内側に曲線部１２６，１３６を設け、縁部１２０，１３０の先端部１２１，１３１を櫛１００の外端側により近づけるのがより好ましい。一般に、髪を分ける際には先端部１２１，１３１が使用されるが、先端部１２１，１３１が毛髪に隠れるため、分け目の位置は櫛１００の外端を基準として決められる。そこで、本実施例のように縁部１２０，１３０の内側に曲線部１２６，１３６を設け、縁部１２０，１３０の先端部１２１，１３１を櫛１００の外端側により近づけることにより、作業者はより正確に分け目の位置を把握することが可能となる。
【００２１】
背部１１０に設けられた突起部１６２〜１６８は、軸が幅方向の半円柱状に形成されている。本実施例では、突起部１６２〜１６８の長さを背部１１０の幅と略同一にしている。なお、突起部１６２〜１６８の形状は、半円柱状に限らず、軸が幅方向に沿った柱状であれば、種々変更することが可能である。突起部１６２〜１６８は、例えば、半楕円柱状や、三角柱状あるいは四角柱状等、種々の形状とすることが可能である。但し、突起部１６２〜１６８が毛髪に引っかかる虞を低減することが可能である点で、突起部１６２〜１６８は半円柱状あるいは半楕円柱状とするのが好ましい。また、突起部１６２〜１６８の長さは、背部１１０の幅よりも短くすることが可能である。この場合、突起部１６２〜１６８は、櫛歯側や背側に寄せて配置してもよく、櫛歯側と背側との中間に配置しても良い。なお、突起部１６２〜１６８の長さは、作業者がより確実に突起部１６２〜１６８を認識できるように、背部１１０の幅の１／２以上とするのが好ましい。
【００２２】
突起部１６２〜１６８の大きさは、背部１１０からの盛り上がり量（すなわち、半円柱状の突起部１６２〜１６８では半円柱の半径）が、毛髪の直径（約０．１ｍｍ）よりも大きくなるように設定される。盛り上がり量を毛髪の直径よりも大きくすることにより、触感で毛髪と突起部１６２〜１６８とを区別することができるので、カットやセット等の作業を行う際に突起部の位置を目視で確認する必要がなくなり、作業の効率を向上させることができる。なお、触感で毛髪と突起部とを区別することがより容易となるように、突起部１６２〜１６８の盛り上がり量は０．２ｍｍ以上とするのが好ましい。一方、突起部１６２〜１６８の盛り上がり量が大き過ぎると、突起部１６２〜１６８が毛髪に引っかかり、毛髪にダメージを与えたり、セットが崩れたりする虞がある。この点を考慮して、突起部１６２〜１６８の盛り上がり量は１ｍｍ以下とするのが好ましい。また、触感による毛髪と突起部１６２〜１６８との区別をより容易とし、突起部１６２〜１６８への毛髪の引っかかりをより抑制するため、突起部１６２〜１６８の盛り上がり量は、０．４ｍｍ〜０．６ｍｍの範囲に設定するのがより好ましく、さらに好ましくは約０．５ｍｍに設定される。
【００２３】
図１（ａ）に示すように、本実施例では、櫛１００の正面側に設けられた突起部１６２，１６４は、櫛歯列１４０，１５０を手前にして、中央線Ｃ−Ｃの左側と、中央線Ｃ−Ｃ上に配置されている。これらの突起部１６２，１６４は、それぞれ、櫛歯列１４０，１５０を手前にして左側の縁部１２０に設けられた直線部１２２からの距離が６０ｍｍと１００ｍｍの距離に設けられている。また、図１（ｂ）に示すように、櫛１００の背面側に設けられた突起部１６６，１６８は、櫛歯列１４０，１５０を手前にして、中央線Ｃ−Ｃの左側と、中央線Ｃ−Ｃ上に配置されている。このように中央線Ｃ−Ｃから外れた突起部１６６，１６８は、それぞれ、櫛歯列１４０，１５０を手前にして左側の縁部１２０，１３０に設けられた直線部１３２からの距離が６０ｍｍと１００ｍｍの距離に設けられている。
【００２４】
一般に、カットやセットを行う作業者は、櫛歯１４２，１５２を手前にして櫛１００の左側の外端を頭に近づけて櫛１００を使用する。そのため、本実施例の櫛１００を用いることにより、作業者は、毛髪の長さが６０ｍｍおよび１００ｍｍとなる位置をより容易に把握することが可能となる。但し、作業者の利き手によっては、櫛歯１４２，１５２を手前にして右側の外端部を頭に近づけて櫛１００を使用する場合もある。このことを考慮して、上記の突起部１６２〜１６８に加えて、櫛歯列１４０，１５０を手前にして、中央線Ｃ−Ｃの右側に、櫛１００の右側の外端を基準として６０ｍｍの位置に突起部を設けるものとしても良い。
【００２５】
なお、本実施例の櫛１００では、６０ｍｍと１００ｍｍの毛髪の長さの測定が可能となるように櫛１００の長さや突起部１６２〜１６８の数および位置を設定している。これは、美容師国家試験のカッティングにおいて求められる毛髪の長さの基準値が、６０ｍｍと１００ｍｍであることに基づいている。同様に、櫛１００の長さや突起部１６２〜１６８の数や位置については、理容師国家試験のカッティングにおいて求められる毛髪の長さの基準値に合わせて変更することも可能である。また、これらの基準値にかかわらず、所定の長さ（例えば、２０ｍｍ）単位で長さの測定が可能となるように突起部１６２〜１６８の数や位置等を設定するものとしても良い。
【００２６】
このように、本実施例では、縁部１２０，１３０の外端側に櫛１００の長手方向に垂直な直線部１２２，１３２を設けるとともに、直線部１２２，１３２を基準とした所定の背部１１０上の位置に直線部１２２，１３２と平行な線状の突起部１６２〜１６８を設けている。これにより、カットやセットを行う作業者は、毛髪の長さが所望の長さとなる位置をより正確に把握することが可能となり、セットやカットをより正確に行うことが可能となる。
【００２７】
また、本実施例のように、縁部１２０，１３０の内側に外端側に湾曲した曲線部１２６，１３６を設けることにより、縁部１２０，１３０の先端部１２１，１３１は櫛１００の外端部により近くなる。縁部１２０，１３０の先端部１２１，１３１を櫛１００の外端部に近づけることにより、髪を分ける際の作業性をより向上させることが可能となる。
【００２８】
さらに、櫛１００の長さを所望の長さ（１００ｍｍ）の２倍とした場合、櫛歯列境界を櫛１００の中央線Ｃ−Ｃに位置するようにするのが好ましい。このようにすれば、粗目櫛歯列１４０と細目櫛歯列１５０とのどちらを使用している場合においても、櫛１００の外端を頭に当てることで、毛髪の長さが所望の長さとなる位置を目視や触感で確認することができる。
【符号の説明】
【００２９】
１００…櫛
１１０…背部
１２０…縁部
１２１…先端部
１２２，１２８…直線部
１２４，１２６…曲線部
１３０…縁部
１３１…先端部
１３２，１３８…直線部
１３４，１３６…曲線部
１４０…粗目櫛歯列
１４２…櫛歯
１５０…細目櫛歯列
１５２…櫛歯
１６２，１６４，１６６，１６８…突起部
【図１】
2012034728.tif 000003
【図２】
2012034728.tif 000004